(57)【特許請求の範囲】
【請求項１】
少なくとも１枚の書類の第１面と第２面をスキャンする両面スキャナであって、
前記少なくとも１枚の書類の前記第１面をスキャンし、水平面に垂直な第１法線ベクトルを有する第１スキャナモジュールを備えたプラットホームスキャナと、
前記プラットホームスキャナの上方に設けられ、前記少なくとも1枚の書類を給送してその書類の前記第２面をスキャンするオートシートフィーダと、を備え、
前記オートシートフィーダはさらに、
前記オートシートフィーダ内にあり、前記少なくとも1枚の書類を通過させ、チャネル入口を備えたシートフィードチャネルと、
前記シートフィードチャネル上に設けられて前記チャネル入口に接近し、前記少なくとも1枚の書類の前記第２面をスキャンし、第２法線ベクトルを有し、前記第１法線ベクトルが前記第２法線ベクトルとの間に挟角を形成する第２スキャナモジュールと、
前記チャネル入口に接近し、前記少なくとも１枚の書類を載置するシート取込トレイと、
前記シート取込トレイの下方に設けられ、前記シートフィードチャネルのチャネル出口に接近し、スキャンが完了した前記少なくとも１枚の書類を載置するシート取出トレイと、
前記チャネル入口に接近するように前記シート取込トレイに接近する箇所に設けられ、前記少なくとも１枚の書類を給送して、前記チャネル入口を通して前記シートフィードチャネル内に進入させるシートピックアップモジュールと、
前記プラットホームスキャナの前記第１スキャナモジュールの丁度上方にある第１スキャン領域と、
前記第２スキャナモジュールの丁度上方にある第２スキャン領域と、
前記シートフィードチャネル上に設けられ、前記少なくとも１枚の書類を給送して、前記第１スキャン領域、前記第２スキャン領域、又は前記シート取出トレイに進入させる複数のローラセットと、を備え、
前記複数のローラセットは、
前記シートフィードチャネルの湾曲領域上に設けられ、前記少なくとも１枚の書類を給送して前記第１スキャン領域に進入させるシートフィードローラセットと、
前記チャネル入口と前記チャネル出口に接近し、前記少なくとも１枚の書類を前記チャネル入口から給送して前記第２スキャン領域に進入させか、あるいは前記少なくとも１枚の書類を前記第１スキャン領域から給送して前記シート取出トレイに進入させる共用ローラセットと、からなることを特徴とする両面スキャナ。
【請求項２】
前記シートピックアップモジュールは、
前記シート取込トレイ上にある前記少なくとも１枚の書類と接触することにより、該書類を給送して、前記チャネル入口を通して前記シートフィードチャネルに進入させるシートピックアップローラと、
前記シートピックアップローラに接近し、前記シートピックアップローラと同時に回転することにより、前記少なくとも１枚の書類を分離し、かつ前記シートピックアップローラが毎回に１枚の書類のみを給送して前記シートフィードチャネルに進入させるシート分離ローラと、からなることを特徴とする請求項１に記載の両面スキャナ。
【請求項３】
前記湾曲領域は、前記第１スキャン領域と前記第２スキャン領域の間にあることを特徴とする請求項１に記載の両面スキャナ。
【請求項４】
前記共用ローラセットは、共用ローラと、第１支持ローラと、第２支持ローラとを含み、
前記共用ローラは、前記チャネル入口と前記チャネル出口の間に設けられて、回転しながら前記少なくとも１枚の書類を給送して、前記第２スキャン領域又は前記シート取出トレイに進入させ、
前記第１支持ローラは、前記チャネル入口の一側に設けられ、かつ前記少なくとも１枚の書類に第１支持力を付与して、前記少なくとも１枚の書類が前記共用ローラと前記第１支持ローラとの間に挟持され、かつ前記共用ローラにより前記第２スキャン領域に進入するようにし、
前記第２支持ローラは、前記チャネル出口の一側に設けられ、かつ前記少なくとも１枚の書類に第２支持力を付与して、前記少なくとも１枚の書類が前記共用ローラと前記第２支持ローラとの間に挟持され、かつ前記共用ローラにより前記シート取出トレイに進入するようにすることを特徴とする請求項１に記載の両面スキャナ。
【請求項５】
前記シートフィードローラセットは、シートフィード駆動ローラと、シートフィード遊動ローラと、第３支持ローラとを含み、
前記シートフィード駆動ローラは、回転しながら前記少なくとも１枚の書類を給送し、
前記シートフィード遊動ローラは、前記シートフィード駆動ローラに接近し、かつ前記シートフィード駆動ローラの回転により連動され、該シートフィード遊動ローラは、前記少なくとも１枚の書類の給送を補助して、前記少なくとも１枚の書類が当該シートフィード遊動ローラと前記シートフィード駆動ローラとの間を通過するようにし、
前記第３支持ローラは、前記少なくとも１枚の書類に第３支持力を付与して、前記少なくとも１枚の書類が前記シートフィード駆動ローラと前記第３支持ローラとの間に挟持されるようにし、前記シートフィード駆動ローラが回転しながら、前記少なくとも１枚の書類を給送して前記第１スキャン領域に進入させることを特徴とする請求項１に記載の両面スキャナ。
【請求項６】
前記シートフィードチャネルは更に、前記チャネル入口と前記シートフィードローラセットの間にある傾斜領域を含み、前記傾斜領域は前記水平面に対して傾斜し、前記第２スキャナモジュールは前記傾斜領域上に設けられて、前記第１スキャナモジュールの前記第１法線ベクトルと前記第２スキャナモジュールの前記第２法線ベクトルとの間に前記挟角を形成することを特徴とする請求項１に記載の両面スキャナ。
【発明の詳細な説明】
【技術分野】
【０００１】
本発明は、スキャナに関し、より詳しくは、書類の両面をスキャンする両面スキャナに関する。
【背景技術】
【０００２】
科学技術は時代の進化に伴い日毎に発展を遂げており、書類の保存もまた科学技術の発展に伴って従来のペーパー書類のファイリングから書類を保存する電子ファイルへと変遷しており、一般に書類の電子化作業を行うツールはスキャナであって、ユーザが拡散、整理又は保存するのに便利なように、スキャナはペーパー書類の内容をスキャンでもって電子ファイルに変換するためのものである。
【０００３】
初期のスキャナは書類の片面画像しかスキャンできず、ユーザが書類の両面画像をスキャンしようとすると、スキャナで書類の別の面の画像をスキャンするには、手動で書類を反転させなければならなかった。そこで、手動での反転が大変面倒であるのに鑑みて、市場ではオートシートフィーダを研究開発して、プラットホームスキャナと組合せて使用することで手動での反転が不要となり、両面スキャンの完成が可能となった。
【発明の概要】
【発明が解決しようとする課題】
【０００４】
然しながら、前記従来技術では、オートシートフィーダをプラットホームスキャナと組合せてできた公知の両面スキャナは、プラットホームスキャナ内にスキャナモジュールを設けたに過ぎないことから、書類の両面をスキャンしようとすれば、特定の構造設計で書類を反転させないと、両面スキャンの目的が達せられなかった。続いて、公知の両面スキャナの構造及び作動状況を説明する。図１は公知の両面スキャナの構造の側面概略図である。公知の両面スキャナ１は、スキャナモジュール１０１を備えたプラットホームスキャナ１０とオートシートフィーダ１１からなる。オートシートフィーダ１１はプラットホームスキャナ１０の上方に設けられて、シート取込トレイ１１１、シート取出トレイ１１２、シートピックアップモジュール１１３、シートフィードチャネル１１４、反転領域１１５、スキャン領域１１６、複数のシートフィードローラセット１１７、反転チャネル１１８、及びシート取出ローラセット１１９で構成される。
【０００５】
公知の両面スキャナ１で両面をスキャンする場合、複数の書類Ｓは第１面を上向きにしてシート取込トレイ１１１上に載置し、シートピックアップモジュール１１３が複数の書類Ｓのうち最も上の書類Ｓと接触すると、シートピックアップモジュール１１３が前記最も上の書類Ｓを給送してシートフィードチャネル１１４に進入させ、シートフィードローラセット１１７が前記書類を給送してシートフィードチャネル１１４の湾曲區域１１４１を通過させて、前記書類Ｓの第１面を下向きにする。続いて、前記書類Ｓがシートフィードローラセット１１７によって第１面を下向きにしてスキャン領域１１６に給送し、スキャン領域１１６下方のスキャナモジュール１０１が前記書類Ｓの第１面をスキャンする。第１面のスキャンが完了すると、シートフィードローラセット１１７とシート取出ローラセット１１９が前記書類Ｓを反転領域１１５に給送して、書類Ｓがシート取出ローラセット１１９に給送されて反転チャネル１１８に進入し、再度スキャン領域１１６に進入する準備をする。書類Ｓは反転されて第２面を下向きにして給送されて再度スキャン領域１１６に進入し、スキャナモジュール１０１が第２面をスキャンする。
【０００６】
書類Ｓの両面を何れもスキャンし終えると、複数の書類Ｓの排列順序を維持するために、書類Ｓを再度反転させねばならない。それは次のように作動する。シートフィードローラセット１１７とシート取出ローラセット１１９が再度前記書類Ｓを反転領域１１５に給送し、書類Ｓはシート取出ローラセット１１９に給送されて反転チャネル１１８に進入し、前記書類Ｓを反転させて第１面を下向きにしてスキャン領域１１６を通過させる。このとき、スキャナモジュール１０１は前記書類Ｓの第１面をスキャンしない。最後に、前記書類Ｓがシート取出ローラセット１１９によってシート取出トレイ１１２に給送され、書類Ｓの第１面が下向きとなり、前記書類Ｓの両面スキャンが完了する。シート取込トレイ上の他の書類の両面スキャンの工程は上記と全く同じであるので、これ以上詳述しない。複数の書類Ｓのスキャンが完了すると、シート取出トレイ１１２上にある複数の書類Ｓは第１面を下向きにして載置され、しかも複数の書類Ｓの排列順序はスキャン前と同じである。
【０００７】
公知の両面スキャナ１のスキャン工程では、書類は給送されてスキャン領域を3回通過（スリーパス(Three-pass)）させないと一度に両面スキャンが完了しないため、公知の両面スキャナの欠点は作業時間が長過ぎることにあった。公知の両面スキャナの作業時間を短縮してスキャン効率を上げるために、市場では更に別の公知の両面スキャナが提供され、その構造は次の通りである。
【０００８】
図２は別の公知の両面スキャナの構造の側面概略図である。別の公知の両面スキャナ２は第１スキャナモジュール２０１を備えたプラットホームスキャナ２０とオートシートフィーダ２１からなる。オートシートフィーダ２１はプラットホームスキャナ２０の上方に設けられて、シート取込トレイ２１１、シート取出トレイ２１２、シートピックアップモジュール２１３、シートフィードチャネル２１４、スキャン領域２１５、第２スキャナモジュール２１６、複数のシートフィードローラセット２１７、及びシート取出ローラセット２１８で構成される。シート取込トレイ２１１は複数の書類Ｓ’を載置するためのものであり、シート取出トレイ２１２はスキャンが完了した前記複数の書類Ｓ’を載置するためのものである。シートピックアップモジュール２１３はシート取込トレイ２１１に接近し、シート取込トレイ２１１上にある複数の書類Ｓ’と接触するとこれを給送してシートフィードチャネル２１４に進入させる。シートフィードチャネル２１４はオートシートフィーダ２１内にあり、且つ、シート取込トレイ２１１とシート取出トレイ２１２の間にあり、シートフィードチャネル２１４はシートピックアップモジュール２１３とスキャン領域２１５を通る。スキャン領域２１５は第１スキャナモジュール２０１の丁度上方にあり、第１スキャナモジュール２０１がスキャン領域２１５を通過する書類Ｓ’の第１面をスキャンするのに便利である。また、第２スキャナモジュール２１６はスキャン領域２１５の丁度上方にあり、第２スキャナモジュール２１６がスキャン領域２１５を通過する書類Ｓ’の第２面をスキャンするのに便利である。複数のシートフィードローラセット２１７はシートフィードチャネル２１４上にあり、複数の書類Ｓ’をシートフィードチャネル２１４内を給送させてスキャン領域２１５を通過させると、シート取出ローラセット２１８がシート取出トレイ２１２に接近し、スキャンが完了した複数の書類Ｓ’をシート取出トレイ２１２に給送する。
【０００９】
別の公知の両面スキャナ２における両面スキャンの作動状況は次の通りである。複数の書類Ｓ’は第１面を下向きにしてシート取込トレイ２１１上に載置され、シートピックアップモジュール２１３が複数の書類Ｓ’のうちの最も上の書類Ｓ’と接触すると、シートピックアップモジュール２１３が前記最も上の書類Ｓ’を給送してシートフィードチャネル２１４に進入させ、シートフィードローラセット２１７が前記書類Ｓ’を給送して、前記書類Ｓ’の第１面を下向きにしてスキャン領域２１５に進入させる。前記書類Ｓ’がスキャン領域２１５内に進入すると、スキャン領域２１５下方にある第１スキャナモジュール２０１が前記書類Ｓ’の第１面をスキャンすると共に、スキャン領域２１５上方にある第２スキャナモジュール２１６が前記書類Ｓ’の第２面をスキャンする。最後に、前記書類Ｓ’はシートフィードローラセット２１７とシート取出ローラセット２１８によりシート取出トレイ２１２に給送され、前記書類Ｓ’の第１面は下向きのままで前記書類Ｓ’の両面スキャンが完了する。シート取込トレイ２１１上の他の書類Ｓ’の両面スキャンの工程は上記と全く同じであることから、これ以上詳述しない。
【００１０】
別の公知の両面スキャナ２のスキャン工程では、書類Ｓ’が給送されてスキャン領域２１５を１回通過（ワンパス(One-pass)）するだけで、両面スキャンの完了が可能であることから、別の公知の両面スキャナ2は作業時間の短縮が可能であるが、欠点はコスト高にあり、しかも第２スキャナモジュール２１６をオートシートフィーダ２１内に設置することで、両面スキャナ２の高度さが下げられず、両面スキャナ２の体積が縮小できない。
【００１１】
そこで、本発明者は上記の欠点が改善可能と考え、鋭意検討を重ねた結果、合理的設計で上記の課題を効果的に改善する本考案の提案に到った。
【００１２】
本発明は、このような従来の問題に鑑みてなされたものである。上記課題解決のため、本発明は、体積の縮小が可能な両面スキャナを提供することを主目的とする。
【課題を解決するための手段】
【００１３】
上記の課題を解決し、目的を達成するために、本発明に係る両面スキャナは少なくとも1枚の書類の第１面と第２面をスキャンするためのものであって、前記両面スキャナは、
前記少なくとも1枚の書類の前記第１面をスキャンし、水平面に垂直な第１法線ベクトルを有する第１スキャナモジュールを備えたプラットホームスキャナと、
前記プラットホームスキャナの上方に設けられ、前記少なくとも1枚の書類を給送してその書類の前記第２面をスキャンするためのオートシートフィーダと、
を備え、前記オートシートフィーダはさらに、
前記オートシートフィーダ内にあり、前記少なくとも1枚の書類を通過させ、チャネル入口を備えたシートフィードチャネルと、
前記シートフィードチャネル上に設けられて前記チャネル入口に接近し、前記少なくとも1枚の書類の前記第２面をスキャンし、第２法線ベクトルを有し、前記第１法線ベクトルが前記第２法線ベクトルとの間に挟角を形成する第２スキャナモジュールとを備えることを特徴とする。
【００１４】
この好ましい実施例では、前記オートシートフィーダは更に、
前記チャネル入口に接近し、前記少なくとも１枚の書類を載置するためのシート取込トレイと、
前記シート取込トレイの下方に設けられ、前記シートフィードチャネルのチャネル出口に接近し、スキャンが完了した前記少なくとも１枚の書類を載置するためのシート取出トレイと、
前記シート取込トレイの近傍する箇所に設けられて前記チャネル入口に接近し、前記少なくとも１枚の書類を給送して前記チャネル入口を通過させ、前記シートフィードチャネル内に進入させるためのシートピックアップモジュールと、
前記プラットホームスキャナの前記第１スキャナモジュールの丁度上方にある第１スキャン領域と、
前記第２スキャナモジュールの丁度上方にある第２スキャン領域と、
前記シートフィードチャネル上に設けられ、前記少なくとも１枚の書類を給送して前記第１スキャン領域、前記第２スキャン領域、又は前記シート取出トレイに進入させるための複数のローラセットと、
から構成されることを特徴とする。
【００１５】
この好ましい実施例では、前記シートピックアップモジュールは、
前記シート取込トレイ上にある前記少なくとも１枚の書類と接触して、これを給送して前記チャネル入口を通過させ、前記シートフィードチャネルに進入させるためのシートピックアップローラと、
前記シートピックアップローラに近傍し、前記シートピックアップローラと同時に回転し、前記少なくとも１枚の書類を分離して、前記シートピックアップローラが毎回書類を1枚のみ給送して前記シートフィードチャネルに進入させるためのシート分離ローラと、
からなることを特徴とする。
【００１６】
この好ましい実施例では、前記複数のローラセットは、
前記シートフィードチャネルの湾曲領域上に設けられ、前記少なくとも１枚の書類を給送して前記第１スキャン領域に進入させるためのシートフィードローラセットと、
前記チャネル入口と前記チャネル出口に近傍し、前記少なくとも１枚の書類を前記チャネル入口から給送して前記第２スキャン領域に進入させ、又は、前記少なくとも１枚の書類を前記第１スキャン領域から給送して前記シート取出トレイに進入させるための共用ローラセットと、
からなることを特徴とする。
【００１７】
この好ましい実施例では、前記湾曲領域は前記第１スキャン領域と前記第２スキャン領域の間にあることを特徴とする。
【００１８】
この好ましい実施例では、前記共用ローラセットは、
前記チャネル入口と前記チャネル出口の間に設けられ、回転して前記少なくとも１枚の書類を給送し、前記第２スキャン領域又は前記シート取出トレイに進入させるための共用ローラと、
前記チャネル入口の一側に設けられ、前記少なくとも１枚の書類に第１支持力を付与し、前記少なくとも１枚の書類が前記共用ローラと前記第１支持ローラに挟持され、前記共用ローラに給送されて前記第２スキャン領域に進入する第１支持ローラと、
前記チャネル出口の一側に設けられ、前記少なくとも１枚の書類に第２支持力を付与し、前記少なくとも１枚の書類が前記共用ローラと前記第２支持ローラに挟持され、前記共用ローラに給送されて前記シート取出トレイに進入する第２支持ローラと、
からなることを特徴とする。
【００１９】
この好ましい実施例では、前記シートフィードローラセットは、
回転して前記少なくとも１枚の書類を給送するためのシートフィード駆動ローラと、
前記シートフィード駆動ローラに近傍して、前記シートフィード駆動ローラにより回転されて、前記少なくとも１枚の書類の給送を補助し、前記少なくとも１枚の書類が前記シートフィード駆動ローラとの間を通過するためのシートフィード遊動ローラと、
前記少なくとも１枚の書類に第３支持力を付与し、前記少なくとも１枚の書類が前記シートフィード駆動ローラと前記第３支持ローラに挟持され、前記シートフィード駆動ローラが回転して前記少なくとも１枚の書類を給送して前記第１スキャン領域に進入させるための第３支持ローラと、
からなることを特徴とする。
【００２０】
この好ましい実施例では、前記シートフィードチャネルは更に、前記チャネル入口と前記シートフィードローラセットの間にある傾斜領域を含み、前記傾斜領域は前記水平面に対して傾斜し、前記第２スキャナモジュールは前記傾斜領域上に設けられて、前記第１スキャナモジュールの前記第１法線ベクトルと、前記第２スキャナモジュールの前記第２法線ベクトルとの間に前記挟角を形成することを特徴とする。
【発明の効果】
【００２１】
本発明によれば、書類の両面のスキャンが可能な両面スキャナが得られる。
【図面の簡単な説明】
【００２２】
【図１】公知の両面スキャナの構造の側面概略図である。
【図２】別の公知の両面スキャナの構造の側面概略図である。
【図３】本発明に係る両面スキャナの好ましい実施形態における構造の側面概略図である。
【発明を実施するための形態】
【００２３】
以下に図面を参照して本発明を実施するための形態について、詳細に説明する。なお、本発明は、以下に説明する実施形態に限定されるものではない。
［第１実施形態］
まず、本発明の両面スキャナの第１実施形態について説明する。本発明の第１実施形態の構成を図１から図３に示す。図３は本発明に係る両面スキャナの好ましい実施形態における構造の側面概略図である。本発明に係る両面スキャナ３はプラットホームスキャナ３０とオートシートフィーダ３１で構成され、プラットホームスキャナ３０は、少なくとも１枚の書類Ｓ＊の第１面Ｓ１＊をスキャンするための第１スキャナモジュール３０１を備える。第１スキャナモジュール３０１は水平面Ｈに垂直な第１法線ベクトルＮを有する。オートシートフィーダ３１はプラットホームスキャナ３０の上方に設けられて少なくとも１枚の書類Ｓ＊を通過させ、オートシートフィーダ３１はシート取込トレイ３１１、シート取出トレイ３１２、シートピックアップモジュール３１３、シートフィードチャネル３１４、第２スキャナモジュール３１５、複数のローラセット３１６、第１スキャン領域３１７、及び第２スキャン領域３１８で構成される。シートフィードチャネル３１４はオートシートフィーダ３１内にあり、チャネル入口３１４１、チャネル出口３１４２、湾曲領域３１４３、及び傾斜領域３１４４からなる。シート取込トレイ３１１はチャネル入口３１４１に接近して少なくとも１枚の書類Ｓ＊を載置し、シート取出トレイ３１２はシート取込トレイ３１１の下方にあり、チャネル出口３１４２に接近してスキャンが完了した少なくとも１枚の書類Ｓ＊を載置する。
【００２４】
シートピックアップモジュール３１３はシート取込トレイ３１１の近傍する箇所に設けられてチャネル入口３１４１に接近し、少なくとも１枚の書類Ｓ＊を給送してチャネル入口３１４１を通過させ、シートフィードチャネル３１４内に進入させる。シートピックアップモジュール３１３はシートピックアップローラ３１３１とシート分離ローラ３１３２からなり、シートピックアップローラ３１３１はシート取込トレイ３１１上にある少なくとも１枚の書類Ｓ＊と接触して、前記書類Ｓ＊を給送してチャネル入口３１４１を通過させ、シートフィードチャネル３１４に進入させる。シート分離ローラ３１３２は複数の書類Ｓ＊を分離し、シートピックアップモジュール３１３は、毎回給送する工程で、書類Ｓ＊を1枚のみ給送してシートフィードチャネル３１４に進入させる。第２スキャナモジュール３１５はシートフィードチャネル３１４の傾斜領域３１４４上に設けられてチャネル入口３１４１に接近し、少なくとも１枚の書類Ｓ＊の第２面Ｓ２＊をスキャンするが、第２スキャナモジュール３１５は第２法線ベクトルＮ２を有し、第１法線ベクトルＮ１と第２法線ベクトルＮ２の間に挟角Ａを形成する。
【００２５】
図３では、第１スキャン領域３１７は、プラットホームスキャナ３０の第１スキャナモジュール３０１の丁度上方にあり、また、第２スキャン領域３１８は第２スキャナモジュール３１５の丁度上方にあり、シートフィードチャネル３１４の湾曲領域３１４３は第１スキャン領域３１７と第２スキャン領域３１８の間にある。複数のローラセット３１６はシートフィードチャネル３１４上に設けられ、少なくとも１枚の書類Ｓ＊を給送して第１スキャン領域３１７、第２スキャン領域３１８、又はシート取出トレイ３１２に進入させる。複数のローラセット３１６は共用ローラセット３１６１とシートフィードローラセット３１６２からなる。共用ローラセット３１６１はチャネル入口３１４１とチャネル出口３１４２の間に設けられ、書類Ｓ＊をチャネル入口３１４１から給送して第２スキャン領域３１８に進入させ、又は、書類Ｓ＊を第１スキャン領域３１７からシート取出トレイ３１２に給送する。さらに、共用ローラセット３１６１は共用ローラ３１６１Ａ、第１支持ローラ３１６１Ｂ、及び第２支持ローラ３１６１Ｃからなり、共用ローラ３１６１Ａと第１支持ローラ３１６１Ｂはそれぞれチャネル入口３１４１の両側にあり、第１支持ローラ３１６１Ｂはチャネル入口３４１１の一側に設けられて第１支持力を書類Ｓ＊に付与することで、前記書類Ｓ＊が共用ローラ３１６１Ａと第１支持ローラ３１６１Ｂによって挟持されて、共用ローラ３１６１Ａが回転して書類Ｓ＊を給送して第２スキャン領域３１８に進入させる。共用ローラ３１６１Ａはチャネル入口３１４１とチャネル出口３４１２の間に設けられ、第２支持ローラ３１６１Ｃはチャネル出口３１４２の一側にあり、第１支持ローラ３１６１Ｂと同様に、第２支持ローラ３１６１Ｃは第２支持力を書類Ｓ＊に付与することで、前記書類Ｓ＊が共用ローラ３１６１Ａと第２支持ローラ３１６１Ｃによって挟持されて、共用ローラ３１６１Ａが回転して書類Ｓ＊をシート取出トレイ３１２に給送する。
【００２６】
シートフィードローラセット３１６２はシートフィードチャネル３１４の湾曲領域３１４３に設けられ、第１スキャン領域３１７と第２スキャン領域３１８の間にあり、書類Ｓ＊を給送して第２スキャン領域３１８から前記湾曲領域３１４３を通過させて、書類Ｓ＊を第１スキャン領域３１７に給送する。シートフィードローラセット３１６２は、シートフィード駆動ローラ３１６２Ａ、シートフィード遊動ローラ３１６２Ｂ、及び第３支持ローラ３６１３Ｃからなり、シートフィード駆動ローラ３１６２Ａが回転して書類Ｓ＊を給送し、シートフィード遊動ローラ３１６２Ｂはシートフィード駆動ローラ３１６２Ａに近傍して、シートフィード駆動ローラ３１６２Ａの回転により、書類Ｓ＊の給送を補助して、書類Ｓ＊をシートフィード駆動ローラ３１６２Ａとシートフィード遊動ローラ３１６２Ｂの間を通過させる。第３支持ローラ３１６２Ｃは第３支持力を書類Ｓ＊に付与することで、前記書類Ｓ＊がシートフィード駆動ローラ３１６２Ａと第３支持ローラ３１６２Ｃによって挟持され、シートフィード駆動ローラ３１６２Ａが回転して、書類Ｓ＊を給送して第１スキャン領域３１７に進入させる。
【００２７】
シートフィードチャネル３１４において、傾斜領域３１４４はチャネル入口３１４１からシートフィードローラセット３１６２に至る間の領域と定義され、水平面Ｈに対して傾斜する傾斜チャネルである。第２スキャナモジュール３１５は前記傾斜領域３１４４に設けられて第２スキャン領域３１８の下方にあり、書類Ｓ＊の第２面Ｓ２＊をスキャンする。第２スキャナモジュール３１５と傾斜領域３１４４の法線ベクトルは第２法線ベクトルＮ２と定義される。傾斜領域３１４４が水平面Ｈ対して傾斜しており、即ち、図３のように、傾斜領域３１４４と水平面Ｈの間に角度があって、第２法線ベクトルＮ２と第１法線ベクトルＮ２の間に挟角Ａを形成する。
【００２８】
続いて、図３で本発明に係る両面スキャナ３が両面スキャンを行なう状況を説明する。複数の書類Ｓ＊は第１面Ｓ１＊を上向きにしてシート取込トレイ３１１上に載置され、シートピックアップモジュール３１３が複数の書類Ｓ＊のうち最も上の書類Ｓ＊と接触すると、シートピックアップモジュール３１３が前記最も上の書類Ｓ＊を給送してシートフィードチャネル３１４のチャネル入口３１４１に進入させる。前記書類Ｓ＊が前記チャネル入口３１４１を通過すると、共用ローラセット３１６１の第１支持ローラ３１６１Ｂが第１支持力を書類Ｓ＊に付与することで、共用ローラ３１６１Ａと第１支持ローラ３１６１Ｂが書類Ｓ＊を挟持して、共用ローラ３１６１Ａが安定して書類Ｓ＊を給送して傾斜する傾斜領域３１４４の第２スキャン領域３１８に進入させる。
【００２９】
書類Ｓ＊が第２スキャン領域３１８内に進入すると、書類Ｓ＊の第２面Ｓ２＊が下向きになって第２スキャナモジュール３１５に臨み、第２スキャン領域３１８下方にある第２スキャナモジュール３１５が書類Ｓ＊の第２面Ｓ２＊をスキャンして書類Ｓ＊の第２面画像を取得する。第２面Ｓ２＊のスキャンが完了すると、シートフィードローラセット３１６２が書類Ｓ＊を給送してシートフィードチャネル３１４の湾曲領域３１４３を通過させて書類Ｓ＊を第１スキャン領域３１７に進入させる。シートフィードローラセット３１６２の第３支持ローラ３１６２Ｃが第３支持力を書類Ｓ＊に付与することで、前記書類Ｓ＊はシートフィード駆動ローラ３１６２Ａと第３支持ローラ３１６２Ｃによって安定して給送されて第１スキャン領域３１７に進入する。書類Ｓ＊が湾曲區域３１４３を通過して反転することで、書類Ｓ＊の第１面Ｓ１＊が下向きとなり、書類Ｓ＊が第１スキャン領域３１７内に進入すると、第１面Ｓ１＊は第１スキャナモジュール３０１に臨み、第１スキャン領域３１７下方にある第１スキャナモジュール３０１が書類Ｓ＊の第１面Ｓ１＊をスキャンして書類Ｓ＊の第１面画像を取得する。
【００３０】
最後に、共用ローラセット３１６１の第２支持ローラ３１６１Ｃが第２支持力を書類Ｓ＊に付与することで、共用ローラ３１６１Ａと第２支持ローラ３１６１Ｃが書類Ｓ＊を挟持して、書類Ｓ＊をシート取出トレイ３１２に給送し、書類Ｓ＊の第１面Ｓ１＊が下向きになって、書類Ｓ＊の両面スキャンが完了する。シート取込トレイ３１１上の他の書類Ｓ＊の両面スキャン工程は上記と全く同じであることから、これ以上説明しない。また、複数の書類Ｓ＊がスキャン完了すると、シート取出トレイ３１２上の複数の書類Ｓ＊は何れも第１面Ｓ１＊を下向きにして載置され、しかも複数の書類Ｓ＊の排列順序はスキャン前と全く同じである。
【００３１】
上記より次のことが分かる。本発明に係る両面スキャナは第１スキャナモジュールと第２スキャナモジュールからなり、ワンパス(One-pass)でもって書類の両面スキャンの完了が可能であり、第２スキャナモジュールはシートフィードチャネルの傾斜した傾斜領域下方の利用されてないスペースを利用して、その中に設置される。即ち、第１スキャナモジュールの丁度上方には設けられないため、本発明に係る両面スキャナの高さを下げることが可能であり、さらには両面スキャナの体積の縮小も可能である。また、本発明に係る両面スキャナは、共用ローラセットにより公知の両面スキャナにおける少なくとも1組のシートフィードローラセット及びシート取出ローラセットに取って代わり、本発明に係る両面スキャナに必要なローラ数が少なくて済むことから、スペースの配置が行なえ、両面スキャナの体積が一層縮小可能となるだけでなく、その上、ローラの設置数が減少することでコストが低減される。
【００３２】
以上、本発明の実施形態について図面を参照して詳述したが、具体的な構成はこの実施形態に限られるものではなく、本発明の要旨を逸脱しない範囲の設計変更等も含まれる。
【符号の説明】
【００３３】
１、２、３  両面スキャナ
１０、２０、３０  プラットホームスキャナ
１１、２１、３１  オートシートフィーダ
１０１  スキャナモジュール
１１１、２１１、３１１  シート取込トレイ
１１２、２１２、３１２  シート取出トレイ
１１３、２１３、３１３  シートピックアップモジュール
１１４、２１４、３１４  シートフィードチャネル
１１５  反転領域
１１６、２１５  スキャン領域
１１７、２１７、３１６  シートフィードローラセット
１１８  反転チャネル
１１９、２１８  シート取出ローラセット
２０１、３０１  第１スキャナモジュール
２１６、３１５  第２スキャナモジュール
３１７  第１スキャン領域
３１８  第２スキャン領域
３１３１  シートピックアップローラ
３１３２  シート分離ローラ
３１４１  チャネル入口
３１４２  チャネル出口
３１４３  湾曲領域
３１４４  傾斜領域
３１６１  共用ローラセット
３１６２  シートフィードローラセット
３１６１Ａ  共用ローラ
３１６１Ｂ  第１支持ローラ
３１６１Ｃ  第２支持ローラ
３１６２Ａ  シートフィード駆動ローラ
３１６２Ｂ  シートフィード遊動ローラ
３１６２Ｃ  第３支持ローラ
Ａ  挟角
Ｈ  水平面
Ｎ１  第１法線ベクトル
Ｎ２  第２法線ベクトル
Ｓ、Ｓ’、Ｓ＊  書類
Ｓ１＊  書類の第１面
Ｓ２＊  書類の第２面
【図１】
0005591887.tif 000002
【図２】
0005591887.tif 000003
【図３】
0005591887.tif 000004